(57)【要約】    【課題】十分な機能を備えた軽量で安価なレガースの提供。    【解決手段】本発明に係るレガース１は、本体２が段ボール３からなる。段ボール３は、中芯５とこれを夾む表面７と裏面９とにライナー１１を備えている。このライナー１１には、バージンパルプが用いられていることが、より好ましい。このライナー１１は、ＪＩＳ−Ｐ−８１３１に準拠して測定される破裂強度が２０Ｋｇｆ／ｃｍ2以上であることが、さらに好ましい。さらに好ましくは、上記ライナー１１の表面に防水処理が施されることである。さらに、レガース本体が合成樹脂のフィルムで被覆されることが好ましい。このレガースは、防護機能に優れ、軽量かつ安価で、耐久性も優れている。【選択図】図１
2005074048.tif 000002
【特許請求の範囲】
【請求項１】
本体が段ボールからなるレガース。
【請求項２】
上記段ボールが、中芯とこれを夾んで配された表面及び裏面のライナーとを備えてなり、このライナーにバージンパルプが用いられている請求項１記載のレガース。
【請求項３】
上記ライナーの破裂強度が２０Ｋｇｆ／ｃｍ2以上である請求項２に記載のレガース。
【請求項４】
上記段ボールの表面に防水処理が施された請求項１から３のいずれかに記載のレガース。
【請求項５】
上記本体を被覆する樹脂フィルムをさらに備えた１から４のいずれかに記載のレガース。
【発明の詳細な説明】
【技術分野】
【０００１】
本発明は、スポーツ用レガースに関する。
【背景技術】
【０００２】
サッカーでは、足の脛部にレガースを付けることがルールで義務づけられている。野球やホッケーでもレガースが使用される。これらのスポーツでは、レガースがソックスに挿入されて競技に用いられる。しかし、レガースは、使用中に脱落したり、着用感が悪いため装着されなかったりすることがある。着用感の悪さ、価格の高さ等のため、レガースが着用されないことがあれば、安全性にとって問題である。
【０００３】
レガース等の防護材には衝撃に対する強さや、物理的な外力に対する強度が必要である。このレガースの材質は、ポリエチレン、ポリプロピレン、ポリエステル等のプラスチックが主である。これらは、機械的強度の面では大きいが、硬く、滑りやすい。したがって、プラスチック製レガースは、脱落しやすい。また、このレガースは、緩衝効果の付与のため、クッション材の取り付けや、繊維材による包装等、構造が複雑化されている。
【発明の開示】
【発明が解決しようとする課題】
【０００４】
レガースは、激しい運動では特に、違和感がなく軽量であることも必要である。運動中にレガースが脱落、紛失又は破損したりすると補充する必要がある。補充が簡単にできるものがよい。特に、少年用には軽量、安価なものが求められている。本発明は、このような事情に鑑みてなされたものであり、十分な機能を備え、かつ軽量で、かつ安価なレガースを提供することを目的とする。
【課題を解決するための手段】
【０００５】
本発明に係るレガースは、段ボールからなる本体を備える。
【０００６】
上記段ボールは、中芯とこれを夾んで配された表面及び裏面のライナーとを備えている。このライナーにバージンパルプが用いられていることが、より好ましい。
【０００７】
さらに、上記ライナーの破裂強度が２０Ｋｇｆ／ｃｍ2以上であることがより好ましい。
【０００８】
さらに好ましくは、上記ライナーの表面に防水処理が施される。
【発明の効果】
【０００９】
このレガースは、軽量で、安価であり、激しい運動においても防護機能に優れ、耐久性も優れている。
【発明を実施するための最良の形態】
【００１０】
以下、適宜図面が参照されつつ、好ましい実施形態に基づいて本発明が詳細に説明される。
【００１１】
図１は、本発明の一実施形態に係るレガース１が示されている。図１（ａ）は、平板状レガース１の正面図である。図１（ｂ）は図１（ａ）のＢ−Ｂ線に沿った断面図である。このレガース１は、本体２が段ボール３からなる。段ボール３の種類は、紙の質とフルート（段目）とによって分類されている。紙の質は、中芯５とこれを夾む表面７及び裏面９のライナー１１の各々について規定される。ライナー１１が表面のみに付けられている段ボール３もある。
【００１２】
段ボール用のライナー１１にはジュートライナー、Ｋライナー及び白ライナーが知られている。紙質にＤ４、Ｃ５、Ｃ６、Ｋ５、Ｋ６及びＫ７があり、この順に強度が大きくなる。上記記号は、原紙のパルプ及び再生紙の含有比率を示している。記号がＣのものは、再生紙が１００％であるのに対してＫのものは再生紙の含有率が低い。最近の段ボールは、ほとんどのものがＣの紙質であるといわれている。
【００１３】
レガース１に使用されるライナー１１には上記のＫライナーが強度の面から好ましい。なかでも、再生紙の比率が、より低いものを使用するのが好ましい。再生紙が含まれないパルプのみからなるものがより好ましい。さらには、含まれるパルプの繊維がより長いことが好ましい。このレガース１は、耐久性に優れ激しい運動の際の衝撃に対しても脛を保護する。
【００１４】
アルファベット記号の後の数字は１ｍ2当たりの重さを指しており、例えばＣ５は１７０ｇ、Ｃ６は２１０ｇ、Ｋ５は１８０ｇ、Ｋ６は２２０ｇ、Ｋ７は２８０ｇであるとされている。ライナーの種類の表示は、そのグラム数を採った表示も行われている。例えば、Ｃ５はＣ１７０、Ｋ７はＫ２８０等である。通常の紙質はＣ５とＫ５が使用され、これ以外はほとんど使用されていない。このレガース１用としては、これらよりもさらに上のグレードであるＫ４６９等がさらに好ましい。後述の破裂試験の測定で、このＫ４６９のライナー１１を試験して得た破裂強度の値は、Ｃ１７０の３．５倍、Ｋ２８０の１．６倍である。
【００１５】
段ボール３は、中芯５にフルート１３と呼ばれる段を備えている。フルート１３は、通常、Ｅ、Ｂ、Ａ及びＷの４種類に分類されている。このフルート１３を備えた段ボール３は、それぞれ上記の順に１．５ｍｍ、３ｍｍ、５ｍｍ及び８ｍｍと厚くなる。強度の順は、弱い方から強い方にＢ、Ｅ、Ａ及びＷとされている。このフルート１３の種類によって、山の高さ及び間隔が異なり、強度が異なっている。ちなみにＢフルートは、３０ｃｍ当たり４８から５２山で、段高さが２．４９から２．８ｍｍ、段繰り率が１．３５から１．４６８とされている。Ａフルートは山数が３４前後で、段高さ４．６から４．７９ｍｍ、段繰り率が１．５３から１．６１３とされている。このＡフルートでは、段繰り率からライナー１ｍに対して中芯が約１．６ｍ使用されている。
【００１６】
中芯５も１ｍ2当たり重量で表示され、重いものはより頑丈である。通常は１２０ｇで１６０ｇ、１８０ｇ、２００ｇの種類が一般に用いられる。一般的に強化芯といわれる種類は１６０ｇのものである。このフルート１３の種類は、強度及び衝撃吸収の面からはＡ及びＷがよいが、嵩張らず軽量であるという面からはＢが好適に用いられる。
【００１７】
Ｂフルート１３の段ボール３でもこのバージンパルプ含有率の高いものは、かなり剛性が高い。しかしこの段ボール３をレガース１に用いた場合、激しい運動の衝撃に対しては、この中芯５のフルート１３がクッションの機能を果たす。すなわち、このレガース１は、極めて薄く、軽量であるにもかかわらず防護機能に優れている。
【００１８】
レガース１の形状は、特に限定されないが、シンプルであることが好ましい。平板状の段ボール３であって正面からみた形が、楕円形、長方形、卵形、上部中央がくびれた軍配型等が例示される。レガース１の製造方法はシンプルである。段ボール３からレガース１用の型で平板状レガース１が切り出される。
【００１９】
切り出された平板状レガース１は、そのまま脛当てとして使用できる。このレガース１は、織布又は不織布等と貼り合わされたり、被覆されたりして使用されてもよい。
【００２０】
図２は、くせ付けされたレガース１が示された斜視図である。このレガース１は、図１に示されたレガース１が湾曲させて形成される。プラスチック製のレガースが変形できないのに対して、このレガース１は、個々人の脛に合わせてくせ付けできる。くせ付けされたレガース１の方が脛に取り付けやすく、フィット性がよい。上述の高強度のライナー１１又はフルート１３の段繰り率が高いものが用いられた段ボール３は、曲げ弾性が高くなるが、くせ付けは容易にできる。
【００２１】
レガース１は、使用者によって容易に湾曲させることができ、また嵩張らないことが好ましい。少年用から成人用まで広く用いられるレガース１としては、Ｂフルート１３の中芯５と高破裂強度のライナー１１を備えた段ボール３が適している。この段ボール３は、強度とフィット性とのバランスがよい。また、レガース１は、軽量、安価でソックスにも収納しやすい。このレガース１は、プラスチック等に比べてソックス等の織布との間で滑りにくい。したがって、レガース１は、競技中に脱落することも少ない。
【００２２】
レガース１に用いられる段ボール３は、破裂強度が２０Ｋｇｆ／ｃｍ2以上であるライナー１１が用いられていることがより好ましい。この破裂強度は、ＪＩＳ−Ｐ−８１３１に準拠した破裂試験において測定される。さらに好ましくは２５Ｋｇｆ／ｃｍ2以上である。このライナー１１を使用した段ボール３からなるレガース１は、強度及び耐久性が優れている上に激しい衝撃に対する衝撃緩和性にも優れている。
【００２３】
レガース１は、防水処理を施されていることが、より好ましい。例えば、レガース１の表面に防水性塗料が塗布され又は段ボール３の表層に樹脂が含浸されてもよい。このような防水層の形成によって、レガース１が水分に対して保護される。より好ましくは、本体が段ボールであり、これが合成樹脂のフィルムで被覆される。
【００２４】
図３は、本発明の他の実施形態に係るレガース１５が示された断面図である。このレガース１５は、本体１７とフィルム１９とからなる。本体１７の材質は、図１に示された本体２と同一である。フィルム１９は、本体１７の全体を被覆している。フィルム１９の材質は、可撓性、機械的強度、耐水性等を備えておれば特に限定されない。取り扱い容易性の面から、溶着可能な熱可塑性フィルムが好適に用いられる。合成樹脂としては、ポリエチレン、ポリプロピレン、ポリエステル、ポリウレタン、ポリアミド、アクリロニトリル−ブタジエン共重合体、エチレン−酢酸ビニル共重合体等が例示される。このレガース１５は、繰り返し使用されても雨や汗にも変化せず、容易に型くずれしない。この被覆によって、段ボールを本体１７とするレガース１５は、耐久性が大幅に向上する。
【００２５】
以上説明した、本発明のレガースは、軽量かつ、安価で、耐久性もある。しかも、このレガースは、激しい運動中の衝撃に対しても十分な防護機能を発揮する。
【産業上の利用可能性】
【００２６】
本発明は、芝刈り作業、農作業及び建設作業における脛当てに適用されうる。
【図面の簡単な説明】
【００２７】
【図１】図１は、本発明の一実施形態に係るレガースが示された正面図及び断面図である。
【図２】図２は、図１のレガースが湾曲にくせ付けされた状態が示された斜視図である。
【図３】図３は、本発明の他の実施形態に係るレガースが示された断面図である。
【符号の説明】
【００２８】
１、１５・・・レガース
２、１７・・・本体
３・・・段ボール
５・・・ライナー
７・・・表紙
９・・・裏紙
１１・・・中芯
１３・・・フルート
１９・・・フィルム
【図１】
2005074048.tif 000003
【図２】
2005074048.tif 000004
【図３】
2005074048.tif 000005